(57)【特許請求の範囲】
【請求項１】
無線通信システムにおいてアップリンク信号を送信する方法であって、前記方法は、
端末により、第１のサービングセルに対するＳＲＳ（ｓｏｕｎｄｉｎｇ  ｒｅｆｅｒｅｎｃｅ  ｓｉｇｎａｌ）設定を受信することであって、前記ＳＲＳ設定は周期的ＳＲＳ送信に対する情報を含む、ことと、
前記端末により、前記ＳＲＳ設定によって複数のサブフレームのうち前記第１のサービングセルに対するＰＵＳＣＨ（ｐｈｙｓｉｃａｌ  ｕｐｌｉｎｋ  ｓｈａｒｅｄ  ｃｈａｎｎｅｌ）およびＳＲＳが同時にトリガリングされるＳＲＳサブフレームを決定することであって、前記ＳＲＳサブフレームは複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含む、ことと、
前記第１のサービングセルに対する前記ＳＲＳサブフレームでのＳＲＳ送信が第２のサービングセルに対するアップリンク送信と重複する場合、前記端末により、全体アップリンク送信パワーに基づいて前記ＳＲＳサブフレームにおいて前記ＳＲＳが実際に送信されるかを決定することと、
前記ＳＲＳが周期的ＳＲＳ送信に対する前記ＳＲＳ設定によってトリガリングされ、かつ、複数のＴＡ（ｔｉｍｉｎｇ  ａｄｖａｎｃｅ）グループが前記端末に設定される場合、前記端末により、前記第１のサービングセルに対する前記ＳＲＳサブフレームで前記ＰＵＳＣＨを送信することと
を含み、
前記ＳＲＳサブフレームにおいて前記端末により前記ＳＲＳが実際に送信されるかどうかに関係なく、前記ＰＵＳＣＨは、前記ＳＲＳ送信のために予約された一つのＯＦＤＭシンボルを除いた前記ＳＲＳサブフレームにおける残りのＯＦＤＭシンボルで送信される、方法。
【請求項２】
前記重複した部分で前記全体アップリンク送信パワーが前記端末の最大送信パワーを超過する場合、前記ＳＲＳ送信は、前記第１のサービングセルに対する前記ＳＲＳサブフレームでドロップされる、請求項１に記載の方法。
【請求項３】
前記重複した部分で前記全体アップリンク送信パワーが前記端末の最大送信パワーを超過しない場合、前記ＳＲＳは、前記ＳＲＳサブフレームの前記一つのＯＦＤＭシンボルで実際に送信される、請求項２に記載の方法。
【請求項４】
前記第１のサービングセルと前記第２のサービングセルは、互いに異なるＴＡ（ｔｉｍｉｎｇ  ａｄｖａｎｃｅ）グループに属する、請求項１に記載の方法。
【請求項５】
前記第１のサービングセルと前記第２のサービングセルは、同じＴＡ（ｔｉｍｉｎｇ  ａｄｖａｎｃｅ）グループに属する、請求項１に記載の方法。
【請求項６】
前記ＳＲＳ送信のために予約された前記一つのＯＦＤＭシンボルは、前記ＳＲＳサブフレームの最後のＯＦＤＭシンボルである、請求項１に記載の方法。
【請求項７】
無線通信システムにおいてアップリンク信号を送信するように構成された装置であって、前記装置は、
無線信号を受信および送信するように構成されたＲＦ（ｒａｄｉｏ  ｆｒｅｑｕｅｎｃｙ）部と、
前記ＲＦ部に作用可能に連結されるプロセッサと
を含み、前記プロセッサは、
第１のサービングセルに対するＳＲＳ（ｓｏｕｎｄｉｎｇ  ｒｅｆｅｒｅｎｃｅ  ｓｉｇｎａｌ）設定を前記ＲＦ部を介して受信することであって、前記ＳＲＳ設定は周期的ＳＲＳ送信に対する情報を含む、ことと、
前記ＳＲＳ設定によって複数のサブフレームのうち前記第１のサービングセルに対するＰＵＳＣＨ（ｐｈｙｓｉｃａｌ  ｕｐｌｉｎｋ  ｓｈａｒｅｄ  ｃｈａｎｎｅｌ）およびＳＲＳが同時にトリガリングされるＳＲＳサブフレームを決定することであって、前記ＳＲＳサブフレームは複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含む、ことと、
前記第１のサービングセルに対する前記ＳＲＳサブフレームでのＳＲＳ送信が第２のサービングセルに対するアップリンク送信と重複する場合、全体アップリンク送信パワーに基づいて前記ＳＲＳサブフレームにおいて前記ＳＲＳが実際に送信されるかを決定することと、
前記ＳＲＳが周期的ＳＲＳ送信に対する前記ＳＲＳ設定によってトリガリングされ、かつ、複数のＴＡ（ｔｉｍｉｎｇ  ａｄｖａｎｃｅ）グループが端末に設定される場合、前記第１のサービングセルに対する前記ＳＲＳサブフレームで前記ＰＵＳＣＨを前記ＲＦ部を介して送信することと
を実行するように構成され、
前記ＳＲＳサブフレームにおいて前記端末により前記ＳＲＳが実際に送信されるかどうかに関係なく、前記ＰＵＳＣＨは、前記ＳＲＳ送信のために予約された一つのＯＦＤＭシンボルを除いた前記ＳＲＳサブフレームにおける残りのＯＦＤＭシンボルで送信される、装置。
【請求項８】
前記重複した部分で前記全体アップリンク送信パワーが前記装置の最大送信パワーを超過する場合、前記ＳＲＳ送信は、前記第１のサービングセルに対する前記ＳＲＳサブフレームでドロップされる、請求項７に記載の装置。
【請求項９】
前記重複した部分で前記全体アップリンク送信パワーが前記装置の最大送信パワーを超過しない場合、前記ＳＲＳは、前記ＳＲＳサブフレームの前記一つのＯＦＤＭシンボルで実際に送信される、請求項８に記載の装置。
【請求項１０】
前記第１のサービングセルと前記第２のサービングセルは、互いに異なるＴＡ（ｔｉｍｉｎｇ  ａｄｖａｎｃｅ）グループに属する、請求項７に記載の装置。
【請求項１１】
前記第１のサービングセルと前記第２のサービングセルは、同じＴＡ（ｔｉｍｉｎｇ  ａｄｖａｎｃｅ）グループに属する、請求項７に記載の装置。
【発明の詳細な説明】
【技術分野】
【０００１】
本発明は、無線通信に関し、より詳しくは、無線通信システムにおいて、アップリンク信号を送信する方法及び装置に関する。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の向上である３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、３ＧＰＰリリース（ｒｅｌｅａｓｅ）８で紹介されている。３ＧＰＰ  ＬＴＥは、ダウンリンクでＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）を使用し、アップリンクでＳＣ−ＦＤＭＡ（Ｓｉｎｇｌｅ  Ｃａｒｒｉｅｒ−ｆｒｅｑｕｅｎｃｙ  ｄｉｖｉｓｉｏｎ  ｍｕｌｔｉｐｌｅ  ａｃｃｅｓｓ）を使用する。最大４個のアンテナを有するＭＩＭＯ（ｍｕｌｔｉｐｌｅ  ｉｎｐｕｔ  ｍｕｌｔｉｐｌｅ  ｏｕｔｐｕｔ）を採用する。最近、３ＧＰＰ  ＬＴＥの進化である３ＧＰＰ  ＬＴＥ−Ａ（ＬＴＥ−Ａｄｖａｎｃｅｄ）に対する議論が進行中である。
【０００３】
３ＧＰＰ  ＴＳ  ３６．２１１  Ｖ８．７．０（２００９−０５）“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ（Ｒｅｌｅａｓｅ８）”に開示されているように、３ＧＰＰ  ＬＴＥ／ＬＴＥ−Ａにおいて、物理チャネルは、ダウンリンクチャネルであるＰＤＳＣＨ（Ｐｈｙｓｉｃａｌ  Ｄｏｗｎｌｉｎｋ  Ｓｈａｒｅｄ  Ｃｈａｎｎｅｌ）とＰＤＣＣＨ（Ｐｈｙｓｉｃａｌ  Ｄｏｗｎｌｉｎｋ  Ｃｏｎｔｒｏｌ  Ｃｈａｎｎｅｌ）、アップリンクチャネルであるＰＵＳＣＨ（Ｐｈｙｓｉｃａｌ  Ｕｐｌｉｎｋ  Ｓｈａｒｅｄ  Ｃｈａｎｎｅｌ）とＰＵＣＣＨ（Ｐｈｙｓｉｃａｌ  Ｕｐｌｉｎｋ  Ｃｏｎｔｒｏｌ  Ｃｈａｎｎｅｌ）に分けることができる。
【０００４】
端末は、ＰＵＳＣＨとＰＵＣＣＨ外にも多様なアップリンク信号を送信する。例えば、アップリンク信号は、ＳＲＳ（ｓｏｕｎｄｉｎｇ  ｒｅｆｅｒｅｎｃｅ  ｓｉｇｎａｌ）とランダムアクセスプリアンブルを含むことができる。しかし、端末の性能（ｃａｐａｂｉｌｉｔｙ）や最大送信パワー制限により、同時に送信できるアップリンク信号は制限的である。したがって、特定区間で複数のアップリンク信号の送信がトリガリングされても、特定条件を満たすアップリンク信号が送信されることが一般的である。
【０００５】
しかし、ＣＡ（ｃａｒｒｉｅｒ  ａｇｇｒｅｇａｔｉｏｎ）が導入され、複数のサービングセルから端末がサービスの提供を受けることが可能となるにつれて、基地局と端末との間のアップリンク信号の送信エラーが発生できる。
【発明の概要】
【発明が解決しようとする課題】
【０００６】
本発明は、複数のＴＡ（ｔｉｍｉｎｇ  ａｄｖａｎｃｅ）グループが設定された無線機器がアップリンク信号を送信する方法及びそれを利用した無線機器を提供する。
【課題を解決するための手段】
【０００７】
一態様において、無線通信システムにおけるアップリンク信号送信方法が提供される。前記方法は、端末が基地局から複数のＴＡ（ｔｉｍｉｎｇ  ａｄｖａｎｃｅ）グループを設定するメッセージを受信し、前記端末が前記基地局から第１のサービングセルに対するＳＲＳ（ｓｏｕｎｄｉｎｇ  ｒｅｆｅｒｅｎｃｅ  ｓｉｇｎａｌ）設定を受信し、前記ＳＲＳ設定は周期的ＳＲＳ送信に対する情報を含み、前記端末が前記ＳＲＳ設定によって複数のサブフレームのうちＳＲＳサブフレームを決定し、前記ＳＲＳサブフレームは複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、前記第１のサービングセルに対する前記ＳＲＳサブフレームでＳＲＳ送信が第２のサービングセルのアップリンク送信と重複すると、前記端末が前記基地局にＳＲＳサブフレームでＰＵＳＣＨ（ｐｈｙｓｉｃａｌ  ｕｐｌｉｎｋ  ｓｈａｒｅｄ  ｃｈａｎｎｅｌ）を送信することを含む。ＳＲＳが一つのＯＦＤＭシンボルに送信されるかどうかに関係なく、前記ＰＵＳＣＨは、前記ＳＲＳ送信のために予約された前記一つのＯＦＤＭシンボルを除いた前記ＳＲＳサブフレームで残りのＯＦＤＭシンボルで送信される。
【０００８】
前記重複した部分で全体アップリンク送信パワーが前記端末の最大送信パワーを超過する場合、前記ＳＲＳ送信は、前記第１のサービングセルに対する前記ＳＲＳサブフレームでドロップされる。
【０００９】
前記重複した部分で全体アップリンク送信パワーが前記端末の最大送信パワーを超過しない場合、前記ＳＲＳは、前記ＳＲＳサブフレームの前記一つのＯＦＤＭシンボルで送信される。
【００１０】
他の態様において、無線通信システムにおけるアップリンク信号を送信する装置は、無線信号を送受信するＲＦ（ｒａｄｉｏ  ｆｒｅｑｕｅｎｃｙ）部と前記ＲＦ部に連結されるプロセッサを含む。前記プロセッサは、基地局から複数のＴＡ（ｔｉｍｉｎｇ  ａｄｖａｎｃｅ）グループを設定するメッセージを前記ＲＦ部を介して受信し、前記基地局から第１のサービングセルに対するＳＲＳ（ｓｏｕｎｄｉｎｇ  ｒｅｆｅｒｅｎｃｅ  ｓｉｇｎａｌ）設定を前記ＲＦ部を介して受信し、前記ＳＲＳ設定は周期的ＳＲＳ送信に対する情報を含み、前記ＳＲＳ設定によって複数のサブフレームのうちＳＲＳサブフレームを決定し、前記ＳＲＳサブフレームは複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、前記第１のサービングセルに対する前記ＳＲＳサブフレームでＳＲＳ送信が第２のサービングセルのアップリンク送信と重複すると、前記基地局にＳＲＳサブフレームでＰＵＳＣＨ（ｐｈｙｓｉｃａｌ  ｕｐｌｉｎｋ  ｓｈａｒｅｄ  ｃｈａｎｎｅｌ）を前記ＲＦ部を介して送信する。ＳＲＳが一つのＯＦＤＭシンボルに送信されるかどうかに関係なく、前記ＰＵＳＣＨは、前記ＳＲＳ送信のために予約された前記一つのＯＦＤＭシンボルを除いた前記ＳＲＳサブフレームで残りのＯＦＤＭシンボルで送信される。
本明細書は、例えば、以下の項目も提供する。
（項目１）
無線通信システムにおけるアップリンク信号送信方法において、
端末が基地局から複数のＴＡ（ｔｉｍｉｎｇ  ａｄｖａｎｃｅ）グループを設定するメッセージを受信し；
前記端末が前記基地局から第１のサービングセルに対するＳＲＳ（ｓｏｕｎｄｉｎｇ  ｒｅｆｅｒｅｎｃｅ  ｓｉｇｎａｌ）設定を受信し、前記ＳＲＳ設定は周期的ＳＲＳ送信に対する情報を含み；
前記端末が前記ＳＲＳ設定によって複数のサブフレームのうちＳＲＳサブフレームを決定し、前記ＳＲＳサブフレームは複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み；
前記第１のサービングセルに対する前記ＳＲＳサブフレームでＳＲＳ送信が第２のサービングセルのアップリンク送信と重複すると、前記端末が前記基地局にＳＲＳサブフレームでＰＵＳＣＨ（ｐｈｙｓｉｃａｌ  ｕｐｌｉｎｋ  ｓｈａｒｅｄ  ｃｈａｎｎｅｌ）を送信することを含み、
ＳＲＳが一つのＯＦＤＭシンボルに送信されるかどうかに関係なく、前記ＰＵＳＣＨは、前記ＳＲＳ送信のために予約された前記一つのＯＦＤＭシンボルを除いた前記ＳＲＳサブフレームで残りのＯＦＤＭシンボルで送信されるアップリンク信号送信方法。
（項目２）
前記重複した部分で全体アップリンク送信パワーが前記端末の最大送信パワーを超過する場合、前記ＳＲＳ送信は、前記第１のサービングセルに対する前記ＳＲＳサブフレームでドロップされることを特徴とする項目１に記載のアップリンク信号送信方法。
（項目３）
前記重複した部分で全体アップリンク送信パワーが前記端末の最大送信パワーを超過しない場合、前記ＳＲＳは、前記ＳＲＳサブフレームの前記一つのＯＦＤＭシンボルで送信されることを特徴とする項目２に記載のアップリンク信号送信方法。
（項目４）
前記第１のサービングセルと前記第２のサービングセルは、互いに異なるＴＡグループに属することを特徴とする項目１に記載のアップリンク信号送信方法。
（項目５）
前記第１のサービングセルと前記第２のサービングセルは、同じＴＡグループに属することを特徴とする項目１に記載のアップリンク信号送信方法。
（項目６）
前記ＳＲＳ送信のために予約された一つのＯＦＤＭシンボルは、前記ＳＲＳサブフレームの最後のＯＦＤＭシンボルであることを特徴とする項目１に記載のアップリンク信号送信方法。
（項目７）
無線通信システムにおけるアップリンク信号を送信する装置において、
無線信号を送受信するＲＦ（ｒａｄｉｏ  ｆｒｅｑｕｅｎｃｙ）部；
前記ＲＦ部に連結されるプロセッサ；を含み、前記プロセッサは、
基地局から複数のＴＡ（ｔｉｍｉｎｇ  ａｄｖａｎｃｅ）グループを設定するメッセージを前記ＲＦ部を介して受信し；
前記基地局から第１のサービングセルに対するＳＲＳ（ｓｏｕｎｄｉｎｇ  ｒｅｆｅｒｅｎｃｅ  ｓｉｇｎａｌ）設定を前記ＲＦ部を介して受信し、前記ＳＲＳ設定は周期的ＳＲＳ送信に対する情報を含み；
前記ＳＲＳ設定によって複数のサブフレームのうちＳＲＳサブフレームを決定し、前記ＳＲＳサブフレームは複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み；
前記第１のサービングセルに対する前記ＳＲＳサブフレームでＳＲＳ送信が第２のサービングセルのアップリンク送信と重複すると、前記基地局にＳＲＳサブフレームでＰＵＳＣＨ（ｐｈｙｓｉｃａｌ  ｕｐｌｉｎｋ  ｓｈａｒｅｄ  ｃｈａｎｎｅｌ）を前記ＲＦ部を介して送信し、
ＳＲＳが一つのＯＦＤＭシンボルに送信されるかどうかに関係なく、前記ＰＵＳＣＨは、前記ＳＲＳ送信のために予約された前記一つのＯＦＤＭシンボルを除いた前記ＳＲＳサブフレームで残りのＯＦＤＭシンボルで送信される装置。
（項目８）
前記重複した部分で全体アップリンク送信パワーが前記装置の最大送信パワーを超過する場合、前記ＳＲＳ送信は、前記第１のサービングセルに対する前記ＳＲＳサブフレームでドロップされることを特徴とする項目７に記載の装置。
（項目９）
前記重複した部分で全体アップリンク送信パワーが前記装置の最大送信パワーを超過しない場合、前記ＳＲＳは、前記ＳＲＳサブフレームの前記一つのＯＦＤＭシンボルで送信されることを特徴とする項目８に記載の装置。
（項目１０）
前記第１のサービングセルと前記第２のサービングセルは、互いに異なるＴＡグループに属することを特徴とする項目７に記載の装置。
（項目１１）
前記第１のサービングセルと前記第２のサービングセルは、同じＴＡグループに属することを特徴とする項目７に記載の装置。
【発明の効果】
【００１１】
基地局と無線機器との間のアップリンクチャネルのデコーディングエラーを減らすことができる。
【図面の簡単な説明】
【００１２】
【図１】３ＧＰＰ  ＬＴＥでダウンリンク無線フレームの構造を示す。
【図２】ＵＬサブフレームの一例を示す。
【図３】多重キャリアの一例を示す。
【図４】複数のセル間にＵＬ伝播差を示す。
【図５】複数のセル間にＴＡが変わる例である。
【図６】ＰＵＳＣＨとＳＲＳの同時送信の一例を示す。
【図７】複数のサービングセルが設定される時、ＳＲＳとＰＵＳＣＨの同時送信の一例を示す。
【図８】本発明の一実施例に係るＵＬ送信を示す。
【図９】互いに異なるＴＡ値を有するサービングセルに対する実施例である。
【図１０】互いに異なるＴＡ値を有するサービングセルに対する実施例である。
【図１１】本発明の一実施例に係るＵＬ送信を示す流れ図である。
【図１２】本発明の実施例が具現される無線通信システムを示すブロック図である。
【発明を実施するための形態】
【００１３】
無線機器は、固定されてもよいし、移動性を有してもよく、端末（Ｕｓｅｒ  Ｅｑｕｉｐｍｅｎｔ、ＵＥ）、ＭＳ（ｍｏｂｉｌｅ  ｓｔａｔｉｏｎ）、ＵＴ（ｕｓｅｒ  ｔｅｒｍｉｎａｌ）、ＳＳ（ｓｕｂｓｃｒｉｂｅｒ  ｓｔａｔｉｏｎ）、ＭＴ（ｍｏｂｉｌｅ  ｔｅｒｍｉｎａｌ）等、他の用語で呼ばれることもある。基地局は、一般的に無線機器と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることもある。
【００１４】
以下、３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）または３ＧＰＰ  ＬＴＥ−Ａ（ＬＴＥ−Ａｄｖａｎｃｅｄ）に基づいて本発明が適用されることを記述する。これは例示に過ぎず、本発明は、多様な無線通信システムに適用されることができる。以下、ＬＴＥは、ＬＴＥ及び／またはＬＴＥ−Ａを含む。
【００１５】
図１は、３ＧＰＰ  ＬＴＥでダウンリンク無線フレームの構造を示す。これは３ＧＰＰ  ＴＳ  ３６．２１１  Ｖ８．７．０（２００９−０５）“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ（Ｒｅｌｅａｓｅ８）”の６節を参照することができる。
【００１６】
無線フレーム（ｒａｄｉｏ  ｆｒａｍｅ）は、０〜９のインデックスが付けられた１０個のサブフレームを含む。一つのサブフレーム（ｓｕｂｆｒａｍｅ）は、２個の連続的なスロットを含む。一つのサブフレームの送信にかかる時間をＴＴＩ（ｔｒａｎｓｍｉｓｓｉｏｎ  ｔｉｍｅ  ｉｎｔｅｒｖａｌ）といい、例えば、一つのサブフレームの長さは１ｍｓであり、一つのスロットの長さは０．５ｍｓである。
【００１７】
一つのスロットは、時間領域で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含むことができる。ＯＦＤＭシンボルは、３ＧＰＰ  ＬＴＥがダウンリンク（ｄｏｗｎｌｉｎｋ、ＤＬ）でＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）を使用するため、時間領域で一つのシンボル区間（ｓｙｍｂｏｌ  ｐｅｒｉｏｄ）を表現するためのものに過ぎず、多重接続方式や名称に制限があるものではない。例えば、ＯＦＤＭシンボルは、ＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）シンボル、シンボル区間など、他の名称で呼ばれることもある。
【００１８】
一つのスロットは、７ＯＦＤＭシンボルを含むと例示的に記述するが、ＣＰ（Ｃｙｃｌｉｃ  Ｐｒｅｆｉｘ）の長さによって一つのスロットに含まれるＯＦＤＭシンボルの数は変わることができる。３ＧＰＰ  ＴＳ  ３６．２１１  Ｖ８．７．０によると、正規ＣＰにおいて、１スロットは７ＯＦＤＭシンボルを含み、拡張（ｅｘｔｅｎｄｅｄ）ＣＰにおいて、１スロットは６ＯＦＤＭシンボルを含む。
【００１９】
リソースブロック（ｒｅｓｏｕｒｃｅ  ｂｌｏｃｋ、ＲＢ）は、リソース割当単位であり、一つのスロットで複数の副搬送波を含む。例えば、一つのスロットが時間領域で７個のＯＦＤＭシンボルを含み、リソースブロックは周波数領域で１２個の副搬送波を含む場合、一つのリソースブロックは７×１２個のリソース要素（ｒｅｓｏｕｒｃｅ  ｅｌｅｍｅｎｔ、ＲＥ）を含むことができる。
【００２０】
ＤＬ（ｄｏｗｎｌｉｎｋ）サブフレームは、時間領域で制御領域（ｃｏｎｔｒｏｌ  ｒｅｇｉｏｎ）とデータ領域（ｄａｔａ  ｒｅｇｉｏｎ）とに分けられる。制御領域は、サブフレーム内の第１のスロットの前方部の最大３個のＯＦＤＭシンボルを含むが、制御領域に含まれるＯＦＤＭシンボルの個数は変わることができる。制御領域にはＰＤＣＣＨ（Ｐｈｙｓｉｃａｌ  Ｄｏｗｎｌｉｎｋ  Ｃｏｎｔｒｏｌ  Ｃｈａｎｎｅｌ）及び他の制御チャネルが割り当てられ、データ領域にはＰＤＳＣＨが割り当てられる。
【００２１】
３ＧＰＰ  ＴＳ  ３６．２１１  Ｖ８．７．０に開示されているように、３ＧＰＰ  ＬＴＥにおいて、物理チャネルは、データチャネルであるＰＤＳＣＨ（Ｐｈｙｓｉｃａｌ  Ｄｏｗｎｌｉｎｋ  Ｓｈａｒｅｄ  Ｃｈａｎｎｅｌ）とＰＵＳＣＨ（Ｐｈｙｓｉｃａｌ  Ｕｐｌｉｎｋ  Ｓｈａｒｅｄ  Ｃｈａｎｎｅｌ）、制御チャネルであるＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）及びＰＵＣＣＨ（Ｐｈｙｓｉｃａｌ  Ｕｐｌｉｎｋ  Ｃｏｎｔｒｏｌ  Ｃｈａｎｎｅｌ）に分けられる。
【００２２】
サブフレームの１番目のＯＦＤＭシンボルで送信されるＰＣＦＩＣＨは、サブフレーム内で制御チャネルの送信に使われるＯＦＤＭシンボルの数（即ち、制御領域の大きさ）に対するＣＦＩ（ｃｏｎｔｒｏｌ  ｆｏｒｍａｔ  ｉｎｄｉｃａｔｏｒ）を伝送する。端末は、まず、ＰＣＦＩＣＨ上にＣＦＩを受信した後、ＰＤＣＣＨをモニタリングする。
【００２３】
ＰＤＣＣＨと違って、ＰＣＦＩＣＨは、ブラインドデコーディングを使用せずに、サブフレームの固定されたＰＣＦＩＣＨリソースを介して送信される。
【００２４】
ＰＨＩＣＨは、アップリンクＨＡＲＱ（ｈｙｂｒｉｄ  ａｕｔｏｍａｔｉｃ  ｒｅｐｅａｔ  ｒｅｑｕｅｓｔ）のためのＡＣＫ（ｐｏｓｉｔｉｖｅ−ａｃｋｎｏｗｌｅｄｇｅｍｅｎｔ）／ＮＡＣＫ（ｎｅｇａｔｉｖｅ−ａｃｋｎｏｗｌｅｄｇｅｍｅｎｔ）信号を伝送する。端末により送信されるＰＵＳＣＨ上のＵＬ（ｕｐｌｉｎｋ）データに対するＡＣＫ／ＮＡＣＫ信号は、ＰＨＩＣＨ上に送信される。
【００２５】
ＰＢＣＨ（Ｐｈｙｓｉｃａｌ  Ｂｒｏａｄｃａｓｔ  Ｃｈａｎｎｅｌ）は、無線フレームの１番目のサブフレームの第２のスロットの前方部の４個のＯＦＤＭシンボルで送信される。ＰＢＣＨは、端末と基地局との間の通信に必須なシステム情報を伝送し、ＰＢＣＨを介して送信されるシステム情報をＭＩＢ（ｍａｓｔｅｒ  ｉｎｆｏｒｍａｔｉｏｎ  ｂｌｏｃｋ）という。これと比較して、ＰＤＣＣＨにより指示されるＰＤＳＣＨ上に送信されるシステム情報をＳＩＢ（ｓｙｓｔｅｍ  ｉｎｆｏｒｍａｔｉｏｎ  ｂｌｏｃｋ）という。
【００２６】
ＰＤＣＣＨを介して送信される制御情報をダウンリンク制御情報（ｄｏｗｎｌｉｎｋ  ｃｏｎｔｒｏｌ  ｉｎｆｏｒｍａｔｉｏｎ、ＤＣＩ）という。ＤＣＩは、ＰＤＳＣＨのリソース割当（これをＤＬグラント（ｄｏｗｎｌｉｎｋ  ｇｒａｎｔ）ともいう）、ＰＵＳＣＨのリソース割当（これをＵＬグラント（ｕｐｌｉｎｋ  ｇｒａｎｔ）ともいう）、任意のＵＥグループ内の個別ＵＥに対する送信パワー制御命令のセット及び／またはＶｏＩＰ（Ｖｏｉｃｅ  ｏｖｅｒ  Ｉｎｔｅｒｎｅｔ  Ｐｒｏｔｏｃｏｌ）の活性化を含むことができる。
【００２７】
図２は、ＵＬサブフレームの一例を示す。サブフレームに含まれるＯＦＤＭシンボルの個数と各アップリンクチャネルの配置は、例示に過ぎない。
【００２８】
３ＧＰＰ  ＴＳ  ３６．２１１  Ｖ８．７．０によると、アップリンクチャネルは、ＰＵＳＣＨ、ＰＵＣＣＨ、ＳＲＳ（Ｓｏｕｎｄｉｎｇ  Ｒｅｆｅｒｅｎｃｅ  Ｓｉｇｎａｌ）、ＰＲＡＣＨ（Ｐｈｙｓｉｃａｌ  Ｒａｎｄｏｍ  Ａｃｃｅｓｓ  Ｃｈａｎｎｌ）を含む。
【００２９】
ＰＵＳＣＨは、ＰＤＣＣＨ上のＵＬグラントにより割り当てられることができ、ユーザトラフィックを伝送する。ＰＵＳＣＨが送信される時、各スロットの４番目のＯＦＤＭシンボルにはＰＵＳＣＨ復調のためのＤＭ  ＲＳ（ｄｅｍｏｄｕｌａｔｉｏｎ  ｒｅｆｅｒｅｎｃｅ  ｓｉｇｎａｌ）が送信される。ＰＵＣＣＨは、ＨＡＲＱのためのＡＣＫ／ＮＡＣＫ、ＣＱＩのような制御信号を伝送する。
【００３０】
ＳＲＳは、基地局がＵＬチャネルの状態を推定するのに使われる信号である。
【００３１】
ＳＲＳ送信は、周期的ＳＲＳ送信と非周期的（ａｐｅｒｉｏｄｉｃ）ＳＲＳ送信とに分けられることができる。周期的ＳＲＳ送信は、周期的ＳＲＳ設定（ｃｏｎｆｉｇｕｒａｔｉｏｎ）によりトリガリングされるサブフレームで送信される。周期的ＳＲＳ設定は、ＳＲＳ周期（ｐｅｒｉｏｄｉｃｉｔｙ）とＳＲＳサブフレームオフセットを含む。周期的ＳＲＳ設定が与えられると、端末は、周期的ＳＲＳ設定を満たすサブフレームで周期的にＳＲＳを送信することができる。
【００３２】
非周期的ＳＲＳ送信は、基地局のＳＲＳ要求が検出されると、ＳＲＳを送信する。非周期的ＳＲＳ送信のために、ＳＲＳ設定が予め与えられる。ＳＲＳ設定も、ＳＲＳ周期（ｐｅｒｉｏｄｉｃｉｔｙ）ＴＳＲＳとＳＲＳサブフレームオフセットＴＯｆｆｓｅｔを含む。
【００３３】
非周期的ＳＲＳ送信のトリガリングのためのＳＲＳ要求は、ＰＤＣＣＨ上のＤＬグラントまたはＵＬグラントに含まれることができる。例えば、ＳＲＳ要求が１ビットの場合、‘０’は否定的ＳＲＳ要求を示し、‘１’は肯定的ＳＲＳ要求を示すことができる。ＳＲＳ要求が２ビットの場合、‘００’は否定的ＳＲＳ要求を示し、そのほかは肯定的ＳＲＳ要求を示し、ＳＲＳ送信のための複数のＳＲＳ設定のうち一つを選択することができる。
【００３４】
もし、ＤＬグラントまたはＵＬグラントがＣＩを含まない場合、ＳＲＳ要求が検出されたＰＤＣＣＨのサービングセルでＳＲＳが送信されることができる。もし、ＤＬグラントまたはＵＬグラントがＣＩを含む場合、ＣＩにより指示されるサービングセルでＳＲＳが送信されることができる。
【００３５】
サービングセルのサブフレームｎで肯定的ＳＲＳ要求が検出されると仮定する。肯定的ＳＲＳ要求が検出されると、ＳＲＳは、ｎ＋ｋ、ｋ≧４、及びＴＤＤ（Ｔｉｍｅ  Ｄｉｖｉｓｉｏｎ  Ｄｕｐｌｅｘ）でＴＳＲＳ＞２の場合とＦＤＤ（Ｆｒｅｑｕｅｎｃｙ  Ｄｉｖｉｓｉｏｎ  Ｄｕｐｌｅｘ）で（１０＊ｎｆ＋ｋＳＲＳ−Ｔｏｆｆｓｅｔ）  ｍｏｄ  ＴＳＲＳ  ＝０を満たす１番目のサブフレームで送信される。ＦＤＤにおいて、フレームｎｆ内でサブフレームインデックスｋＳＲＳ＝｛０，１，．．．，９｝であり、ＴＤＤにおいて、ｋＳＲＳは予め決められたテーブルで定義される。ＴＳＲＳ＝２であるＴＤＤにおいて、（ｋＳＲＳ−Ｔｏｆｆｓｅｔ）ｍｏｄ５＝０を満たす１番目のサブフレームでＳＲＳが送信される。
【００３６】
以下、ＳＲＳが送信されるサブフレームをＳＲＳサブフレームまたはトリガされたサブフレームという。周期的ＳＲＳ送信及び非周期的ＳＲＳ送信において、ＳＲＳは、端末特定（ＵＥ−ｓｐｅｃｉｆｉｃ）に決定されたＳＲＳサブフレームで送信されることができる。
【００３７】
ＳＲＳサブフレームでＳＲＳが送信されるＯＦＤＭシンボルの位置は固定されることができる。例えば、ＳＲＳサブフレームの最後のＯＦＤＭシンボルでＳＲＳが送信されることができる。ＳＲＳ送信されるＯＦＤＭシンボルをサウンディング参照シンボル（ｓｏｕｎｄｉｎｇ  ｒｅｆｅｒｅｎｃｅ  ｓｙｍｂｏｌ）という。
【００３８】
以下、３ＧＰＰ  ＴＳ  ３６．２１３  Ｖ８．７．０（２００９−０５）の５節を参照し、３ＧＰＰ  ＬＴＥでアップリンク送信パワーに対して記述する。
【００３９】
サブフレームｉでＰＵＳＣＨ送信のための送信パワーＰＰＵＳＣＨ（ｉ）は、下記のように定義される。
【００４０】
【数１】
0005969709.tif 000002
【００４１】
ここで、ＰＣＭＡＸは、設定された端末送信パワーであり、ＭＰＵＳＣＨ（ｉ）は、ＲＢ単位のＰＵＳＣＨリソース割当の帯域幅である。ＰＯ＿ＰＵＳＣＨ（ｊ）は、ｊ＝０と１の場合、上位階層で与えられるセル特定要素ＰＯ＿ＮＯＭＩＮＡＬ＿ＰＵＳＣＨ（ｊ）と端末特定要素ＰＯ＿ＵＥ＿ＰＵＳＣＨ（ｊ）との和で構成されるパラメータである。α（ｊ）は、上位階層に与えられるパラメータである。ＰＬは、端末により計算されるダウンリンク経路損失推定である。ΔＴＦ（ｉ）は、端末特定パラメータである。ｆ（ｉ）は、ＴＰＣから取得される端末特定値である。ｍｉｎ｛Ａ，Ｂ｝は、ＡとＢのうち、より少ない値を出力する関数である。
【００４２】
サブフレームｉでＰＵＣＣＨ送信のための送信パワーＰＰＵＣＣＨ（ｉ）は、下記のように定義される。
【００４３】
【数２】
0005969709.tif 000003
【００４４】
ここで、ＰＣＭＡＸとＰＬは、数式１と同じであり、ＰＯ＿ＰＵＣＣＨ（ｊ）は上位階層で与えられるセル特定要素ＰＯ＿ＮＯＭＩＮＡＬ＿ＰＵＣＣＨ（ｊ）と端末特定要素ＰＯ＿ＵＥ＿ＰＵＣＣＨ（ｊ）との和で構成されるパラメータである。ｈ（ｎＣＱＩ，ｎＨＡＲＱ）は、ＰＵＣＣＨフォーマットに従属する値である。ΔＦ＿ＰＵＣＣＨ（Ｆ）は、上位階層により与えられるパラメータである。ｇ（ｉ）は、ＴＰＣから取得される端末特定値である。
【００４５】
サブフレームｉでＳＲＳ送信のための送信パワーＰＳＲＳ（ｉ）は、下記のように定義される。
【００４６】
【数３】
0005969709.tif 000004
【００４７】
ここで、ＰＣＭＡＸ、ＰＯ＿ＰＵＳＣＨ（ｊ）、α（ｊ）、ＰＬ及びｆ（ｉ）は、数式１と同じであり、ＰＳＲＳ＿ＯＦＦＳＥＴは、上位階層で与えられる端末特定パラメータを示し、ＭＳＲＳは、ＳＲＳ送信のための帯域幅を示す。
【００４８】
以下、多重キャリア（ｍｕｌｔｉｐｌｅ  ｃａｒｒｉｅｒ）システムに対して記述する。
【００４９】
３ＧＰＰ  ＬＴＥシステムは、ダウンリンク帯域幅とアップリンク帯域幅が異なるように別々に設定される場合をサポートするが、これは一つのコンポーネントキャリア（ｃｏｍｐｏｎｅｎｔ  ｃａｒｒｉｅｒ、ＣＣ）を前提とする。３ＧＰＰ  ＬＴＥシステムは、最大２０ＭＨｚをサポートし、アップリンク帯域幅とダウンリンク帯域幅は異なるが、アップリンクとダウンリンクの各々に一つのＣＣのみをサポートする。
【００５０】
スペクトラムアグリゲーション（ｓｐｅｃｔｒｕｍ  ａｇｇｒｅｇａｔｉｏｎ）（または、帯域幅アグリゲーション（ｂａｎｄｗｉｄｔｈ  ａｇｇｒｅｇａｔｉｏｎ）、キャリアアグリゲーション（ｃａｒｒｉｅｒ  ａｇｇｒｅｇａｔｉｏｎ）ともいう）は、複数のＣＣをサポートする。例えば、２０ＭＨｚ帯域幅を有するキャリア単位のグラニュラリティ（ｇｒａｎｕｌａｒｉｔｙ）として５個のＣＣが割り当てられる場合、最大１００Ｍｈｚの帯域幅をサポートすることができる。
【００５１】
一つのＤＬ  ＣＣまたはＵＬ  ＣＣとＤＬ  ＣＣの対（ｐａｉｒ）は、一つのセルに対応されることができる。したがって、複数のＤＬ  ＣＣを介して基地局と通信する端末は、複数のサービングセルからサービスの提供を受けるということができる。
【００５２】
図３は、多重キャリアの一例を示す。
【００５３】
ＤＬ  ＣＣ３個とＵＬ  ＣＣが２個を示したが、ＤＬ  ＣＣとＵＬ  ＣＣの個数が制限されるものではない。各ＤＬ  ＣＣでＰＤＣＣＨとＰＤＳＣＨが独立的に送信され、各ＵＬ  ＣＣでＰＵＣＣＨとＰＵＳＣＨが独立的に送信される。２個のＤＬ  ＣＣ−ＵＬ  ＣＣの対と１個のＤＬ  ＣＣが定義されるため、端末は、３個のサービングセルからサービスの提供を受けるということができる。
【００５４】
端末は、複数のＤＬ  ＣＣでＰＤＣＣＨをモニタリングし、複数のＤＬ  ＣＣを介して同時にＤＬ送信ブロックを受信することができる。端末は、複数のＵＬ  ＣＣを介して同時に複数のＵＬ送信ブロックを送信することができる。
【００５５】
ＤＬ  ＣＣ＃１とＵＬ  ＣＣ＃１の対が第１のサービングセルになり、ＤＬ  ＣＣ＃２とＵＬ  ＣＣ＃２の対が第２のサービングセルになり、ＤＬ  ＣＣ＃３が第３のサービングセルになると仮定する。各サービングセルは、セルインデックス（Ｃｅｌｌ  ｉｎｄｅｘ、ＣＩ）を介して識別されることができる。ＣＩは、セル内で固有、または端末−特定的である。ここでは、第１乃至第３のサービングセルにＣＩ＝０、１、２が付与された例を示す。
【００５６】
サービングセルは、１次セル（ｐｒｉｍａｒｙ  ｃｅｌｌ、ｐｃｅｌｌ）と２次セル（ｓｅｃｏｎｄａｒｙ  ｃｅｌｌ、ｓｃｅｌｌ）とに区分されることができる。１次セルは、１次周波数で動作し、端末は、初期連結確立過程を実行し、または連結再確立過程を開始し、またはハンドオーバ過程で１次セルに指定されたセルである。１次セルは、基準セル（ｒｅｆｅｒｅｎｃｅ  ｃｅｌｌ）ともいう。２次セルは、２次周波数で動作し、ＲＲＣ連結が確立された後に設定されることができ、追加的な無線リソースの提供に使われることができる。常に少なくとも一つの１次セルが設定され、２次セルは、上位階層シグナリング（例、ＲＲＣメッセージ）により追加／修正／解除されることができる。
【００５７】
１次セルのＣＩは、固定されることができる。例えば、最も低いＣＩが１次セルのＣＩに指定されることができる。以下、１次セルのＣＩは０であり、２次セルのＣＩは１から順次に割り当てられると仮定する。
【００５８】
端末は、複数のサービングセルを介してＰＤＣＣＨをモニタリングすることができる。しかし、Ｎ個のサービングセルがあるとしても、基地局にＭ（Ｍ≦Ｎ）個のサービングセルに対してＰＤＣＣＨをモニタリングするように設定することができる。また、基地局は、Ｌ（Ｌ≦Ｍ≦Ｎ）個のサービングセルに対して優先的にＰＤＣＣＨをモニタリングするように設定することができる。
【００５９】
既存３ＧＰＰ  ＬＴＥにおいては、端末が複数のサービングセルをサポートしても、一つのＴＡ（Ｔｉｍｉｎｇ  Ａｌｉｇｎｍｅｎｔ）値を複数のサービングセルに共通に適用している。しかし、複数のサービングセルが周波数領域で大いに離隔されて伝播（ｐｒｏｐａｇａｔｉｏｎ）特性が変わることができる。例えば、カバレッジを拡大し、またはカバレッジホール（Ｃｏｖｅｒａｇｅ  ｈｏｌｅ）を除去するために、ＲＲＨ（Ｒｅｍｏｔｅ  Ｒａｄｉｏ  Ｈｅａｄｅｒ）と装置が基地局の領域に存在できる。
【００６０】
図４は、複数のセル間にＵＬ伝播差を示す。
【００６１】
端末は、１次セル（ＰＣｅｌｌ）と２次セル（ＰＳｅｌｌ）によりサービスの提供を受けている。１次セルは基地局により、２次セルは基地局と連結されたＲＲＨにより、サービスを提供する。１次セルの伝播遅延（ｐｒｏｐａｇａｔｉｏｎ  ｄｅｌａｙ）特性と２次セルの伝播遅延特性は、基地局とＲＲＨとの間の距離、ＲＲＨの処理時間（ｐｒｏｃｅｓｓｉｎｇ  ｔｉｍｅ）などの理由により異なる。
【００６２】
この場合、１次セルと２次セルに同じＴＡ値を適用すると、ＵＬ信号の時間整合に深刻な影響を及ぼすことができる。
【００６３】
図５は、複数のセル間にＴＡが変わる例である。
【００６４】
１次セルの実際ＴＡは‘ＴＡ１’であり、２次セルの実際ＴＡは‘ＴＡ２’である。したがって、各サービングセル別に独立的なＴＡを適用する必要がある。
【００６５】
独立的なＴＡを適用するために、ＴＡグループが定義される。ＴＡグループは、同じＴＡが適用される一つまたはそれ以上のセルを含む。各ＴＡグループ別にＴＡが適用され、時間整合タイマも各ＴＡグループ別に作動する。
【００６６】
以下、２個のサービングセル、即ち、第１のサービングセルと第２のサービングセルを考慮し、第１のサービングセルは第１のＴＡグループに属し、第２のサービングセルは第２のＴＡグループに属すると仮定する。サービングセル及びＴＡグループの個数は、例示に過ぎない。第１のサービングセルは、１次セルまたは２次セルであり、第２のサービングセルは、１次セルまたは２次セルである。
【００６７】
ＴＡグループは、少なくとも一つのサービングセルを含むことができる。ＴＡグループの設定に対する情報は、基地局が端末に知らせることができる。
【００６８】
以下、複数のＴＡグループが設定され、または２個以上のサービングセルが設定される時、複数のＵＬチャネルを送信する方法を提案する。
【００６９】
既存３ＧＰＰ  ＬＴＥにおいては、ＳＲＳとＰＵＳＣＨが一つのＯＦＤＭシンボルで送信されることができない。これはＵＬ複雑度を低くし、ＵＬ送信のためのＰＡＰＲ（ｐｅａｋ−ｔｏ−ａｖｅｒａｇｅ  ｐｏｗｅｒ  ｒａｔｉｏ）の大きさを減らすためである。
【００７０】
図６は、ＰＵＳＣＨとＳＲＳの同時送信の一例を示す。
【００７１】
ＤＬサブフレームｎ−４において、無線機器は、ＵＬグラント３１０を受信する。それによって、ＵＬサブフレームｎでＰＵＳＣＨ３２０が送信される。
【００７２】
また、ＵＬサブフレームｎでＳＲＳ送信がトリガリングされる。例えば、ＳＲＳ周期が６サブフレームであり、ＵＬサブフレームｎがＳＲＳサブフレームに該当する。
【００７３】
一つのサブフレームでＰＵＳＣＨ３２０とＳＲＳ３３０が送信されるように設定された場合、ＳＲＳ３３０が送信されるＯＦＤＭシンボルではＰＵＳＣＨ３２０が送信されない。したがって、一つのＯＦＤＭシンボルでＰＵＳＣＨ３２０とＳＲＳ３３０が同時に送信されることを防止する。
【００７４】
一方、無線機器の複雑度が増加するとしても、ＳＲＳとＰＵＳＣＨのような複数のＵＬチャネルの同時送信をサポートすることがネットワークスケジューリングの効率や無線リソース活用側面で有利である。さらに、ＲＦ（ｒａｄｉｏ  ｆｒｅｑｕｅｎｃｙ）／アナログ具現技術が発展するにつれて、複数チャネルの同時送信は、技術及び費用側面でより一層容易になる。特に、一つの無線機器に設定される複数のサービングセルに対する送信部は、独立的なＲＦ／アナログモジュールを介して具現することができるため、複数チャネルの同時送信が相対的に容易である。
【００７５】
したがって、３ＧＰＰ  ＬＴＥの進化バージョンでは、複数のサービングセルが設定された時、互いに異なるサービングセルに対しては一つのＯＦＤＭシンボルでＳＲＳとＰＵＳＣＨを同時送信することを許容することができる。
【００７６】
図７は、複数のサービングセルが設定される時、ＳＲＳとＰＵＳＣＨの同時送信の一例を示す。
【００７７】
副図面（Ａ）において、無線機器は、第１のサービングセルのサブフレームｎでＰＵＳＣＨを送信し、第２のサービングセルのサブフレームｎでＰＵＳＣＨとＳＲＳを送信する。このとき、第２のサービングセルの最後のＯＦＤＭシンボルでＳＲＳが送信され、残りのＯＦＤＭシンボルでＰＵＳＣＨが送信される。したがって、サブフレームｎの最後のＯＦＤＭシンボル（これをＳＲＳシンボルという）で第１のサービングセルのＰＵＳＣＨ送信と第２のサービングセルのＳＲＳ送信が重複する。
【００７８】
ＳＲＳシンボルでＰＵＳＣＨの送信パワーとＳＲＳの送信パワーとの和が最大送信パワー（これをＰｃｍａｘで表示）を超過する時、どのように処理するかが問題になり、提案された実施例によると、ＳＲＳ送信をドロップ（ｄｒｏｐ）することができる。これを副図面（Ｂ）に示す。
【００７９】
ＳＲＳ送信がドロップされると、第２のサービングセルは、サブフレームｎの最後のＯＦＤＭシンボルまでＰＵＳＣＨを送信することができる。
【００８０】
問題は、無線機器のＵＬ送信パワーに対して基地局が実時間に正確に把握しにくいということである。複数のＵＬ信号の送信パワーの和が最大送信パワーを超過するかどうかを基地局が正確に知ることができない。したがって、図７の例によると、第２のサービングセルで無線機器がサブフレームの最後のＯＦＤＭシンボルでＳＲＳを送信するか、または送信パワー不足によりＰＵＳＣＨを送信するかを基地局が判断しにくい。これはＰＵＳＣＨデコーディングに問題を引き起こすことができる。
【００８１】
提案された実施例によると、ＳＲＳとＰＵＳＣＨが同時にトリガリングされるＳＲＳサブフレームで、ＳＲＳシンボルに対してはＳＲＳを実際送信するかどうかと関係なく、ＰＵＳＣＨが送信されない。これは特定サービングセルに対してのみ設定されることができ、または無線機器に設定された全てのセルに対して設定されることができる。前記設定は、２個以上のサービングセルが設定され、及び／または複数のＴＡグループが設定された無線機器に対して適用されることができる。
【００８２】
ＰＵＳＣＨが送信される周波数帯域とＳＲＳが送信されることができる周波数帯域が重なるかどうかと関係なく、ＳＲＳシンボルでＰＵＳＣＨが送信されない。
【００８３】
図８は、本発明の一実施例に係るＵＬ送信を示す。
【００８４】
第２のサービングセルのサブフレームｎでＳＲＳ送信がトリガリングされる。第１のサービングセルのサブフレームｎでＵＬチャネルの送信と第２のサービングセルのサブフレームｎでＳＲＳ送信が重複し、重複した部分で全体送信パワーが最大送信パワーを超過する場合、無線機器は、第２のサービングセルでのＳＲＳ送信をドロップすることができる。前記第１のサービングセルの前記ＵＬチャネルは、ＳＲＳ、ＰＵＣＣＨ、ＰＵＳＣＨ及びＰＲＡＣＨのうち少なくともいずれか一つを含むことができる。第２のサービングセルのＰＵＳＣＨは、ＳＲＳ送信がドロップされるかどうかに関係なく、該当ＳＲＳシンボルでは送信されない。
【００８５】
特定サービングセルのＳＲＳ送信が他のサービングセルのＵＬ送信と重複し、前記特定サービングセルでのＳＲＳ送信がドロップされるかどうかに関係なく、前記特定サービングセルのＰＵＳＣＨ送信は、ＳＲＳシンボルで実行されない。例えば、サブフレームが１４個のＯＦＤＭシンボルを含み、最後のＯＦＤＭシンボルがＳＲＳシンボルの場合、ＰＵＳＣＨは、１３個のＯＦＤＭシンボルで送信され、最後のＯＦＤＭシンボルでは送信されない。
【００８６】
ＳＲＳシンボルでＰＵＳＣＨが送信されないようにするために、穿孔（ｐｕｎｃｔｕｒｉｎｇ）またはレートマッチング（ｒａｔｅ  ｍａｔｃｈｉｎｇ）が実行されることができる。穿孔は、ＳＲＳシンボルまで考慮してＰＵＳＣＨビット数を決定し、レートマッチングは、ＳＲＳシンボルを除いてＰＵＳＣＨビット数を決定する。例えば、サブフレームが１４個のＯＦＤＭシンボルを含む場合、穿孔は、１４個のＯＦＤＭシンボルの全てを考慮してＰＵＳＣＨビット数を決定し、レートマッチングは、ＳＲＳシンボルを除いた１３個のＯＦＤＭシンボルを考慮してＰＵＳＣＨビット数を決定する。
【００８７】
例えば、レートマッチングが使われる時、ＰＵＳＣＨのための変調シンボルの個数Ｑは、下記のように決定されることができる。
【００８８】
【数４】
0005969709.tif 000005
【００８９】
ここで、Ｏは、該当ＰＵＳＣＨで送信される制御信号（ＨＡＲＱ  ＡＣＫ／ＮＡＣＫまたはＲＩ（ｒａｎｋ  ｉｎｄｉｃａｔｏｒ））のビット数であり、Ｎｓｙｍｂ，ｉ＝２（Ｎｓｙｍ−１）−ＮＳＲＳである。Ｎｓｙｍは、一つのスロットでＯＦＤＭシンボルの個数であり、ＮＳＲＳは、初期送信のためのサブフレームがＳＲＳサブフレームの場合は１、そうでない場合は０である。βｏｆｆｓｅｔはオフセット値であり、Ｍｓｃは現在サブフレームでＰＵＳＣＨに割り当てられた副搬送波の個数である。Ｍｓｃ，ｉは、初期送信に割り当てられた副搬送波の個数であり、Ｃは、コードブロックの全体個数であり、Ｋｒは、コードブロックｒに対したビット数である。
【００９０】
即ち、ＮＳＲＳは、ＳＲＳサブフレームでＳＲＳ送信がドロップされるかどうかに関係なく、常に１である。複数のＴＡグループまたは複数のサービングセルが設定された無線機器に対し、ＳＲＳサブフレームでＮＳＲＳは１である。
【００９１】
ＳＲＳサブフレームは、周期的ＳＲＳ設定によってＳＲＳ送信が許容されるサブフレーム及び／または非周期的ＳＲＳ設定によってＳＲＳ送信が許容されるサブフレームを含むことができる。周期的ＳＲＳ設定及び非周期的ＳＲＳ設定は、セル特定的または無線機器特定的である。
【００９２】
図９及び図１０は、互いに異なるＴＡ値を有するサービングセルに対する実施例である。
【００９３】
第１のサービングセルと第２のサービングセルは、互いに異なるＴＡグループに属し、第１のサービングセルのサブフレームｎ＋１が第２のサービングセルのサブフレームｎと一部重複する。
【００９４】
第２のサービングセルのサブフレームｎでＳＲＳ送信がトリガリングされる。第１のサービングセルのサブフレームｎ＋１でＵＬチャネルの送信と第２のサービングセルのサブフレームｎでＳＲＳ送信が重複する。前記第１のサービングセルの前記ＵＬチャネルは、ＳＲＳ、ＰＵＣＣＨ、ＰＵＳＣＨ及びＰＲＡＣＨのうち少なくともいずれか一つを含むことができる。
【００９５】
図９の例は、重複した部分で全体送信パワーが最大送信パワーを超過しない場合、無線機器は、第２のサービングセルでＳＲＳ送信を実行することを示す。
【００９６】
図１０の例は、重複した部分で全体送信パワーが最大送信パワーを超過する場合、無線機器は、第２のサービングセルでＳＲＳ送信をドロップすることを示す。
【００９７】
第２のサービングセルのＰＵＳＣＨは、ＳＲＳ送信がドロップされるかどうかに関係なく、該当ＳＲＳシンボルでは送信されない。
【００９８】
基地局は、ＳＲＳサブフレームのＳＲＳシンボルでは常にＰＵＳＣＨが送信されないことを知ることができるため、基地局と無線機器との間のＰＵＳＣＨデコーディング動作のエラーを減らすことができる。
【００９９】
図１１は、本発明の一実施例に係るＵＬ送信を示す流れ図である。
【０１００】
ステップＳ８１０において、無線機器に複数のＴＡグループが設定される。各ＴＡグループ毎に独立的にＴＡＣ（ｔｉｍｉｎｇ  ａｄｖａｎｃｅ  ｃｏｍｍａｎｄ）が与えられ、独立的にＴＡＣが適用される。ＴＡグループに属するサービングセルには同じＴＡＣが適用される。ＴＡグループのための設定は、ＲＲＣメッセージ、ＭＡＣメッセージ等を介して基地局から送信されることができる。
【０１０１】
ステップＳ８２０において、無線機器は、基地局から第１のサービングセルのためのＳＲＳ設定を受信する。ＳＲＳ設定は、ＲＲＣメッセージ、ＭＡＣメッセージ等を介して基地局から送信されることができる。ＳＲＳ設定は、周期的ＳＲＳ送信のための設定または非周期的ＳＲＳ送信のための設定を含むことができる。周期的ＳＲＳ送信設定は、ＳＲＳ周期及び／またはＳＲＳオフセットを含むことができる。
【０１０２】
ステップＳ８３０において、無線機器は、ＳＲＳ設定に基づいてＳＲＳ送信のためのＳＲＳサブフレームを決定する。このとき、第１のサービングセルのＳＲＳサブフレームにはＳＲＳだけでなく、ＰＵＳＣＨ送信もトリガリングされることができる。
【０１０３】
ステップＳ８４０において、第１のサービングセルのＳＲＳ送信が第２のサービングセルのＵＬ送信と重複するかどうかを判断する。重複すると、第１のサービングセルでＳＲＳ送信可否に関係なく、ＳＲＳシンボルを除いた残りのＯＦＤＭシンボルで第１のサービングセルのＰＵＳＣＨを送信する。図８乃至図１０の実施例で記述したように、第１のサービングセルのＰＵＳＣＨは、レートマッチングまたは穿孔を介して残りのＯＦＤＭシンボルで送信されることができる。
【０１０４】
重複した部分（ｏｖｅｒｌａｐｐｅｄ  ｐｏｒｔｉｏｎ）で無線機器のＵＬ送信パワーが最大送信パワーを超過するかどうかによって、前記ＳＲＳシンボルでＳＲＳが送信されるかどうかが決定されることができる。前記重複した部分は、ＳＲＳシンボルの一部または全部を含むことができる。無線機器のＵＬ送信パワーが最大送信パワーを超過する場合、ＳＲＳ送信をドロップすることができる。無線機器のＵＬ送信パワーが最大送信パワーを超過しない場合、ＳＲＳ送信を実行することができる。
【０１０５】
図１２は、本発明の実施例が具現される無線通信システムを示すブロック図である。
【０１０６】
基地局５０は、プロセッサ（ｐｒｏｃｅｓｓｏｒ）５１、メモリ（ｍｅｍｏｒｙ）５２及びＲＦ部（ＲＦ（ｒａｄｉｏ  ｆｒｅｑｕｅｎｃｙ）ｕｎｉｔ）５３を含む。メモリ５２は、プロセッサ５１と連結され、プロセッサ５１を駆動するための多様な情報を格納する。ＲＦ部５３は、プロセッサ５１と連結され、無線信号を送信及び／または受信する。プロセッサ５１は、提案された機能、過程及び／または方法を具現する。前述した実施例において、サービングセル及び／またはＴＡグループは、基地局により制御／管理されることができ、一つまたはそれ以上のセルの動作は、プロセッサ５１により具現されることができる。
【０１０７】
無線機器６０は、プロセッサ６１、メモリ６２及びＲＦ部６３を含む。メモリ６２は、プロセッサ６１と連結され、プロセッサ６１を駆動するための多様な情報を格納する。ＲＦ部６３は、プロセッサ６１と連結され、無線信号を送信及び／または受信する。プロセッサ６１は、提案された機能、過程及び／または方法を具現する。前述した図８乃至図１１の実施例において、無線機器の動作は、プロセッサ６１により具現されることができる。
【０１０８】
プロセッサは、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリは、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。ＲＦ部は、無線信号を処理するためのベースバンド回路を含むことができる。実施例がソフトウェアで具現される時、前述した技法は、前述した機能を遂行するモジュール（過程、機能など）で具現されることができる。モジュールは、メモリに格納され、プロセッサにより実行されることができる。メモリは、プロセッサの内部または外部にあり、よく知られた多様な手段でプロセッサと連結されることができる。
【０１０９】
前述した例示的なシステムにおいて、方法は、一連のステップまたはブロックで流れ図に基づいて説明されているが、本発明は、ステップの順序に限定されるものではなく、あるステップは、前述と異なるステップと、異なる順序にまたは同時に発生することができる。また、当業者であれば、流れ図に示すステップが排他的でなく、他のステップが含まれ、または流れ図の一つまたはそれ以上のステップが本発明の範囲に影響を及ぼさずに削除可能であることを理解することができる。
【図１】
0005969709.tif 000006
【図２】
0005969709.tif 000007
【図３】
0005969709.tif 000008
【図４】
0005969709.tif 000009
【図５】
0005969709.tif 000010
【図６】
0005969709.tif 000011
【図７】
0005969709.tif 000012
【図８】
0005969709.tif 000013
【図９】
0005969709.tif 000014
【図１０】
0005969709.tif 000015
【図１１】
0005969709.tif 000016
【図１２】
0005969709.tif 000017